(57)【要約】【課題】配電盤の扉の開く角度を、予め定めた角度よりも小さい角度で止めることが簡単にできるようにすることにある。【解決手段】配電盤用枠体５を覆う扉６の周囲に扉折り曲げ部７を設け、その内側に扉用軸受け３を取り付け、前記枠体５に枠用軸受け取り付け脚１を介して枠用軸受け２を取り付け、扉用軸受け２と枠用軸受け３とを回転自在の状態で結合する軸４とで配電盤用蝶番を構成し、前記扉６を開く際に前記扉折り曲げ部７が前記枠用軸受け取り付け脚１に当って、扉６の開き角度を制限するが、扉折り曲げ部７と前記枠用軸受け取り付け脚１との間に、扉６の開き角度を狭める開き角度制限器１０を挿入する。この開き角度制限器１０は、前記軸４を回転自在に挿入できる軸孔を備えた板の一部を前記軸に平行する方向に曲げた曲げ加工部１１を、扉折り曲げ部７と枠用軸受け取り付け脚１との間に挿入する。【選択図】　　　　図１
2004140903.tif 000002
【特許請求の範囲】
【請求項１】
配電盤用枠体を覆う扉の周囲をほぼ直角に折り曲げてなる扉折り曲げ部を有する配電盤用扉の内側に扉用軸受けを取り付け、前記配電盤用枠体に枠用軸受けを枠用軸受け取り付け脚を介して取り付け、これら扉用軸受けと枠用軸受けとを回転自在の状態で結合する軸とで配電盤用蝶番を構成し、前記配電盤用扉を開く際に前記扉折り曲げ部が前記枠用軸受け取り付け脚または前記配電盤枠体に別途に取り付けるストッパに当たって、その開き角度を制限している配電盤用蝶番において、
前記扉折り曲げ部と前記枠用軸受け取り付け脚またはストッパとの間に挿入して、前記配電盤用扉の開き角度を狭める開き角度制限器を備えることを特徴とする配電盤用蝶番の開き角度制限器。
【請求項２】
請求項１に記載の配電盤用蝶番の開き角度制限器において、
前記開き角度制限器は、前記軸を回転自在に挿入できる軸孔を備えた板の一部を前記軸に平行する方向に曲げ、その曲げ加工部を前記扉折り曲げ部と枠用軸受け取り付け脚またはストッパとの間に挿入する構成であることを特徴とする配電盤用蝶番の開き角度制限器。
【発明の詳細な説明】
【０００１】
【発明の属する技術分野】
この発明は、配電盤用扉を開く際の開き角度を制限する配電盤用蝶番の開き角度制限器に関する。
【０００２】
【従来の技術】
図４は配電盤の蝶番部分の従来例を示した構造図である（例えば、特許文献１参照。）。この従来例において、配電盤の枠体５にはコの字形状の枠用軸受け取り付け脚１が取り付けられていて、その先端に枠用軸受け２を固着している。図示を省略している配電盤の扉の内側には扉用軸受け３を固着しているので、枠用軸受け２の中心と扉用軸受け３の中心を一致させて上から軸４を両軸受けの孔に落とし込めば、この軸４を中心にして扉を回転させることができる。
図５は図４で既述の蝶番部分を上から見た構造図である。扉６の端部分は９０度に折り曲げた扉折り曲げ部７があり、この扉折り曲げ部７の内側部に前述してた扉用軸受け３が、溶接などにより固着されている。配電盤の内部を点検したり内部に取り付けている機器類を取り出すためにこの扉６を十分に広い角度まで開くことが必要であり、扉６が所定の角度まで開いたときに扉折り曲げ部７が枠用軸受け取り付け脚１に当たって、当該扉６の開き角度を制限している。この開き角度は、一般に１２０度またはそれ以上にすることが多い。なお枠体５に図示していないストッパを別途に取り付け、扉折り曲げ部７をこのストッパに当てて、扉６の開き角度を制限する構造にすることもある。
【０００３】
【特許文献１】
実開昭５７−１００６号公報（第２図）
【０００４】
【発明が解決しようとする課題】
ところで配電盤を設置する際に、その左右の空間に余裕が無かったり障害物がある場合は、扉６を開いたときに、扉折り曲げ部７が枠用軸受け取り付け脚１に当たる以前に扉６が障害物に当たることになり、扉６の表面に取り付けている計器類を破損したり、扉６に傷が付くなどの不具合を生じてしまう。
そこでこの発明の目的は、配電盤の扉の開く角度を、予め定めた角度よりも小さい角度で止めることが簡単にできるようにすることにある。
【０００５】
【課題を解決するための手段】
前記の目的を達成するために、この発明の配電盤用蝶番の開き角度制限器は、配電盤用枠体を覆う扉の周囲をほぼ直角に折り曲げてなる扉折り曲げ部を有する配電盤用扉の内側に扉用軸受けを取り付け、前記配電盤用枠体に枠用軸受けを枠用軸受け取り付け脚を介して取り付け、これら扉用軸受けと枠用軸受けとを回転自在の状態で結合する軸とで配電盤用蝶番を構成し、前記配電盤用扉を開く際に前記扉折り曲げ部が前記枠用軸受け取り付け脚または前記配電盤枠体に別途に取り付けるストッパに当てて、扉の開き角度を制限するにあたって、
前記扉折り曲げ部と前記枠用軸受け取り付け脚またはストッパとの間に挿入して、前記配電盤用扉の開き角度を狭める開き角度制限器を備える。
【０００６】
前記開き角度制限器は、前記軸を回転自在に挿入できる軸孔を備えた板の一部を前記軸に平行する方向に曲げ、その曲げ加工部を前記扉折り曲げ部と枠用軸受け取り付け脚またはストッパとの間に挿入する。
【０００７】
【発明の実施の形態】
図１は本発明の実施例を表した構造図であるが、図１に記載の枠用軸受け取り付け脚１，枠用軸受け２，扉用軸受け３，軸４および枠体５の名称・用途・機能は、図４で既述の従来例と同じであるから、同じ部分の説明は省略する。
本発明は、軸４を回転自在に挿入できる軸孔を備えた板の一部分を、前記軸４と平行する方向に折り曲げた曲げ加工部１１を有する角度制限器１０を、軸４により扉用軸受け３または枠用軸受け２に取り付ける。
図２は本発明の蝶番部分を上から見た構造図であって、図５で既述の従来例の上から見た構造図と異なるのは、角度制限器１０の一部分である曲げ加工部１１が扉折り曲げ部７と枠用軸受け取り付け脚１との間に介在することであり、そのために扉６の開き角度が従来よりも小さく制限されている。
【０００８】
図３は本発明の蝶番部分を正面から見た構造図であって、角度制限器１０の一部分である曲げ加工部１１が枠用軸受け取り付け脚１の位置まで延びているのが分かる。なおこの図３では、扉用軸受け３が上下の２ヵ所に設られているが、１ヵ所であっても差し支えないのは勿論である。
【０００９】
【発明の効果】
配電盤用扉の開き角度は、一般に扉の折り曲げ部が枠用軸受け取り付け脚に当たる位置で制限されることが多いが、扉付近に障害物があると、これに衝突して扉や扉に取り付けた機器類を破損する恐れがあるから、障害物があるような場合は扉の開き角度を狭めなければならないが、この角度の変更には手間がかかる欠点があった。これに対して本発明では、角度制限器に設けた孔に蝶番を構成する軸を差し込んで当該角度制限器が自由に回転できるようにしておき、この角度制限器の一部分を構成している曲げ加工部が扉折り曲げ部と枠用軸受け取り付け脚との間に挟まれて扉の開き角度を制限する。この角度制限器の取り付けと取り外しは容易であるし、曲げ加工部の幅寸法の変更により扉の開き角度を調整できるので、開き角度の変更・調整が簡単に行える効果が得られる。
【図面の簡単な説明】
【図１】本発明の実施例を表した構造図
【図２】本発明の蝶番部分を上から見た構造図
【図３】本発明の蝶番部分を正面から見た構造図
【図４】配電盤の蝶番部分の従来例を示した構造図
【図５】図４で既述の蝶番部分を上から見た構造図
【符号の説明】
１　　枠用軸受け取り付け脚
２　　枠用軸受け
３　　扉用軸受け
４　　軸
５　　枠体
６　　扉
７　　扉折り曲げ部
１０　　角度制限器
１１　　曲げ加工部
【図１】
2004140903.tif 000003
【図２】
2004140903.tif 000004
【図３】
2004140903.tif 000005
【図４】
2004140903.tif 000006
【図５】
2004140903.tif 000007